(57)【要約】  【課題】  部品点数を少なくし正常給電時の給電ロスを抑制する。  【解決手段】  過電流時給電停止機能付き給電回路２０７は、第一のＰＮＰトランジスタＱ１、第二のＰＮＰトランジスタＱ２、第三のＰＮＰトランジスタＱ３、第一の抵抗素子Ｒ１、第二の抵抗素子Ｒ２、第三の抵抗素子Ｒ３、第四の抵抗素子Ｒ４、第五の抵抗素子Ｒ５、電流制限用抵抗素子Ｒａを備え、供給電源レベルラインＶｃｃからの供給電源を外部端末機器（カメラ付ドアホン子器装置１００）に供給するものであったが、これら回路構成素子のうち、交流インピーダンスアッパー回路Ａのインピーダンスアッパー抵抗である第一の抵抗素子Ｒ１と、過電流時給電停止回路Ｂの電流制限用抵抗素子Ｒａとを、兼用抵抗素子Ｒｂとして一部品化した。さらに、第五の抵抗素子Ｒ５の値を可変とすることにより、外部供給電流Iの値を可変とした。【選択図】図１
2005311635.tif 000002
【特許請求の範囲】
【請求項１】
エミッタに第一の抵抗素子の一端を接続されコレクタが外部供給電流の出力端子とされた第一のＰＮＰトランジスタと、第一のＰＮＰトランジスタのベースにエミッタを接続され、コレクタを第一のＰＮＰトランジスタのコレクタに接続され、ベースが第二の抵抗素子を介してコレクタに接続されるとともに第三の抵抗素子の一端を介して外部接続する第二のＰＮＰトランジスタと、を備えるダーリントン接続回路の回路形態である交流インピーダンスアッパー回路と、
ベースが第四の抵抗素子を介して第一のＰＮＰトランジスタのコレクタに接続されるとともに第五の抵抗素子を介して第一の抵抗素子の他端に接続され、コレクタが第二のＰＮＰトランジスタのベースに接続され、エミッタが供給電源レベルラインに接続されるとともに第三の抵抗素子の他端と接続される第三のＰＮＰトランジスタと、第三のＰＮＰトランジスタのエミッタと供給電源レベルラインとの接続点と、第一の抵抗素子の他端との間に介在接続される電流制限用抵抗素子と、を備える過電流時給電停止回路と、
を備える給電回路において、
第一の抵抗素子を削除し、
第一の抵抗素子と電流制限用抵抗素子とを兼用する一部品素子である兼用抵抗素子を、電流制限用抵抗素子の代わりに置換し、兼用抵抗素子の第五の抵抗素子との接続点に、第一のＰＮＰトランジスタのエミッタを接続したことを特徴とする給電回路。
【請求項２】
第五の抵抗素子の値を可変とすることにより、前記外部供給電流の値を可変としたことを特徴とする請求項１記載の給電回路。
【発明の詳細な説明】
【技術分野】
【０００１】
本発明は、外部接続機器に直流電力を供給する給電回路の回路構成に関するものである。
【背景技術】
【０００２】
従来、カメラ付ドアホン子器装置１００に直流電力を供給し周囲の撮像を行わせるインターホン親機２００が使用されてきた。
【０００３】
インターホン親機２００は、図２であらわす内部ブロック図に示すように、通話回路２０１と、マイクロホン２０２と、スピーカ２０３と、モニタ部２０４と、映像受信回路２０５と、電源回路２０６と、給電回路２０７と、多重分離回路２０８と、制御回路２０９と、を備えて構成されている。
【０００４】
通話回路２０１は、マイクロホン２０２とスピーカ２０３とにより近傍の使用者との会話を送受するための信号処理回路である。通話回路２０１は、マイクロホン２０２に入力された音声を多重分離回路２０８経由でカメラ付ドアホン子器装置１００へ送出させる一方、多重分離回路２０８で分離された音声信号成分を受信しスピーカ２０３に鳴動させる。
【０００５】
モニタ部２０４は、ＬＣＤ表示素子を備え、映像受信回路２０５に制御されて表示動作を行う。映像受信回路２０５は、カメラ付ドアホン子器装置１００から送られ多重分離回路２０８で分離抽出された画像信号を復調し、モニタ部２０４に表示させる。
【０００６】
電源回路２０６は、商用電源からコンセント経由で受電した交流電力を整流し自機内の各回路に供給する。給電回路２０７は、電源回路２０６から供給される自機内の直流電力の一部を、多重分離回路２０８を介してカメラ付ドアホン子器装置１００へ供給する。
【０００７】
多重分離回路２０８は、通話回路２０１から受信した音声信号すなわちマイクロホン２０２に入力された音声信号を、給電回路２０７から供給される直流電力に周波数重畳し、カメラ付ドアホン子器装置１００へ給電を兼ねて送出する。また、多重分離回路２０８は、カメラ付ドアホン子器装置１００から受信した信号から映像信号成分と音声信号成分とを分離し、映像信号成分を映像受信回路２０５に引渡し、音声信号成分を通話回路２０１に引渡す。通話回路２０１は、受信した音声信号成分を、必要に応じてスピーカ２０３に鳴動させる。
【０００８】
制御回路２０９は、インターホン親機２００全体の制御を担うものであり、特に、モニタ部２０４と映像受信回路２０５に映像表示の制御を行い、通話回路２０１に通話制御を行う。また一方で、制御回路２０９は、給電回路２０７に、多重分離回路２０８への給電を行わせる。
このように構成されたインターホン親機２００とカメラ付ドアホン子器装置１００との間の伝送線路にはペア線等の平衡伝送線路を１対用いる。このような平衡伝送線路に適用可能なケーブルとして、例えばインターホン線や、ＣＰＥＶ線などが挙げられる。また、ＬＡＮ用に用いられているＣＡＴ５ケーブルやＣＡＴ６ケーブルなどでもよい。
インターホン親機２００は、その給電回路２０７が制御回路２０９に制御されることによって、多重分離回路２０８から出力する直流供給電圧レベルを高低２段階に変化させることで、カメラ付ドアホン子器装置１００の動作状態の切替えを行なっている。カメラ付ドアホン子器装置１００は、インターホン親機２００から供給される電圧レベルを検出して、所定値よりも高ければ動作状態(アクティブモード)で動作し、所定値以下であれば待機状態(スリープモード)にすることで消費電力の削減を図っている。カメラ付ドアホン子器装置１００が動作状態になった場合、インターホン親機２００では多重分離回路２０８、映像受信回路２０５を通して、映像信号が受信され、モニタ部２０４で映像が表示される。音声に関しては、インターホン親機２００とカメラ付ドアホン子器装置１００との双方向に伝送される。
【０００９】
ここで、図３を用いて給電回路２０７の詳細について説明する。給電回路２０７は、交流インピーダンスアッパー回路Ａと過電流時給電停止回路Ｂとを備える。なお、交流インピーダンスアッパー回路Ａは多重分離回路２０８と接続されており、過電流時給電停止回路Ｂは電源回路２０６から電源を供給する供給電源レベルラインＶｃｃに接続されている。
交流インピーダンスアッパー回路Ａは、カメラ付ドアホン子器装置１００へ給電する直流電力に関して低インピーダンスかつ低損失であり、しかも、インターホン親機２００とカメラ付ドアホン子器装置１００との間で送受される各信号のうち比較的低周波域で伝送される信号帯域に関して高インピーダンスとなる回路である。
【００１０】
交流インピーダンスアッパー回路Ａは、エミッタに第一の抵抗素子Ｒ１の一端を接続されコレクタが外部供給電流の出力端子とされた第一のＰＮＰトランジスタＱ１と、第一のＰＮＰトランジスタＱ１のベースにエミッタを接続され、コレクタを第一のＰＮＰトランジスタＱ１のコレクタに接続され、ベースが第二の抵抗素子Ｒ２を介してコレクタに接続されるとともに第三の抵抗素子Ｒ３の一端を介して外部（供給電源レベルラインＶｃｃ）に接続する第二のＰＮＰトランジスタＱ２と、を備えるダーリントン接続回路の回路形態である。
ここで、第一の抵抗素子Ｒ１は１０-1オーダーの抵抗値(単位：Ω)を有し、交流成分による給電電圧の変動に対して、インターホン親機２００とカメラ付ドアホン子器装置１００との間の伝送信号帯域の高インピーダンス状態を保つために、必要となる。
【００１１】
また、第二の抵抗素子Ｒ２と第三の抵抗素子Ｒ３とは、第一の抵抗素子Ｒ１および電流制限用抵抗素子Ｒａに比べて極めて大きな抵抗値を有するように設計されるものであり、例えば１０4〜１０5オーダーの抵抗値(単位：Ω)を有する。
【００１２】
過電流時給電停止回路Ｂは、例えば、給電端子の短絡や、カメラ付ドアホン子器装置１００の故障などにより過剰な電流が流れた場合に、交流インピーダンスアッパー回路Ａからの電流出力を大きく抑制する回路である。
過電流時給電停止回路Ｂは、ベースが第四の抵抗素子Ｒ４を介して第一のＰＮＰトランジスタＱ１のコレクタに接続されるとともに第五の抵抗素子Ｒ５を介して第一の抵抗素子Ｒ１の他端に接続され、コレクタが第二のＰＮＰトランジスタＱ２のベースに接続され、エミッタが供給電源レベルラインに接続されるとともに第三の抵抗素子Ｒ３の他端と接続される第三のＰＮＰトランジスタＱ３と、第三のＰＮＰトランジスタＱ３のエミッタと供給電源レベルラインとの接続点と、第一の抵抗素子Ｒ１の他端との間に介在接続される電流制限用抵抗素子Ｒａと、を備える。
ここで、電流制限用抵抗素子Ｒａは、第一の抵抗素子Ｒ１と同様に１０-1オーダーの抵抗値(単位：Ω)を有し、電流制限用抵抗素子Ｒａに過剰電流が流れた場合に電流制限用抵抗素子Ｒａでの電圧降下として第三のＰＮＰトランジスタＱ３が検出できるようにするための抵抗素子である。
【００１３】
また、第四の抵抗素子Ｒ４と第五の抵抗素子Ｒ５とは、第二の抵抗素子Ｒ２と第三の抵抗素子Ｒ３と同様に、第一の抵抗素子Ｒ１および電流制限用抵抗素子Ｒａに比べて極めて大きな抵抗値を有するように設計されるものであり、例えば１０3~１０5オーダーの抵抗値(単位：Ω)を有する。
【００１４】
このような回路構成の給電回路２０７によれば、以下のような給電動作を行うことになる。供給電源レベルラインＶｃｃから直流電源電圧（例えば約１０（Ｖ））が与えられると、電流制限用抵抗素子Ｒａおよび第五の抵抗素子Ｒ５による電圧降下が生じるものの、電流制限用抵抗素子Ｒａおよび第一の抵抗素子Ｒ１に過剰電流が流れない状態（正常動作状態）では、第三のＰＮＰトランジスタＱ３のエミッタ−コレクタ間がオン（導通）するまでの電圧降下とはならず、第二の抵抗素子Ｒ２と第三の抵抗素子Ｒ３の抵抗比による分圧が第二のＰＮＰトランジスタＱ２のベース−コレクタ間に印加され第二のＰＮＰトランジスタＱ２のエミッタ−コレクタ間がオン（導通）することにより、第一のＰＮＰトランジスタＱ１のベース−エミッタ間に電位差が生じ、第一のＰＮＰトランジスタＱ１のエミッタ−コレクタ間がオン（導通）する。
【００１５】
この状態では、供給電源レベルラインＶｃｃから電流制限用抵抗素子Ｒａと第一の抵抗素子Ｒ１と第一のＰＮＰトランジスタＱ１のエミッタ−コレクタ間とを流れる電流経路と、供給電源レベルラインＶｃｃから第三の抵抗素子Ｒ３と第二の抵抗素子Ｒ２とを流れる電流経路と、供給電源レベルラインＶｃｃから電流制限用抵抗素子Ｒａと第五の抵抗素子Ｒ５と第四の抵抗素子Ｒ４とを流れる電流経路と、いう３つの電流ルートに主に電流が流れるのであるが、このうち、第三の抵抗素子Ｒ３と第二の抵抗素子Ｒ２とを流れる電流経路と、第五の抵抗素子Ｒ５と第四の抵抗素子Ｒ４とを流れる電流経路という２つの電流ルートでは、第二の抵抗素子Ｒ２、第三の抵抗素子Ｒ３、第四の抵抗素子Ｒ４、第五の抵抗素子Ｒ５のいずれもが電流制限用抵抗素子Ｒａと第一の抵抗素子Ｒ１よりも極めて大きな抵抗値とされているため、電流のほとんどが、低抵抗ルートである電流制限用抵抗素子Ｒａと第一の抵抗素子Ｒ１と第一のＰＮＰトランジスタＱ１のエミッタ−コレクタ間との電流経路に流れることになる。なお、多重分離回路２０８はほとんど数Ω以下のインピーダンスとみなせるものであり、接続先である唯一台のカメラ付ドアホン子器装置１００の直流に関する等価インピーダンスは１０3オーダーの抵抗値(単位：Ω)とみなせるものとする。
【００１６】
以上により、電流制限用抵抗素子Ｒａおよび第一の抵抗素子Ｒ１に過剰電流が流れない状態（正常動作状態）では、供給電源レベルラインＶｃｃからの直流電源電圧（例えば約１０（Ｖ））が、電流制限用抵抗素子Ｒａと第一の抵抗素子Ｒ１と第一のＰＮＰトランジスタＱ１のエミッタ−コレクタ間とに印加された結果、供給電源レベルラインＶｃｃからの直流電源電圧（例えば約１０（Ｖ））から、第一のＰＮＰトランジスタＱ１のエミッタ−コレクタ間のオン（導通）電圧である約０．７（Ｖ）と、多重分離回路２０８での降下電圧およそ数（Ｖ）とを除いた電圧が、接続先であるカメラ付ドアホン子器装置１００の等価インピーダンスに印加し、カメラ付ドアホン子器装置１００の等価インピーダンスつまり１０3オーダーの抵抗値(単位：Ω)に流れる電流値、つまりカメラ付ドアホン子器装置１００への供給電流(多重分離回路２０８への出力電流量)Ｉが１０―1オーダーの電流値(単位：Ａ)となるよう、設計されている。
【００１７】
次に、例えばインターホン親機２００の給電端子の短絡やカメラ付ドアホン子器装置１００の故障などにより供給電流(多重分離回路２０８への出力電流量)Ｉとして過剰な電流が流れた場合には、電流制限用抵抗素子Ｒａに流れる過剰電流が電流制限用抵抗素子Ｒａでの電圧降下として検出され、第三のＰＮＰトランジスタＱ３のエミッタ−コレクタ間がオン（導通）することにより、第二のＰＮＰトランジスタＱ２のエミッタ−コレクタ間がオフ（非導通）となり、ひいては第一のＰＮＰトランジスタＱ１のエミッタ−コレクタ間がオフ（非導通）とすることによって、第一のＰＮＰトランジスタＱ１を通る電流経路を切る。このようにして交流インピーダンスアッパー回路Ａをオフ（非導通）にしている。
ここで、カメラ付ドアホン子器装置１００への供給電流(多重分離回路２０８への出力電流量)をＩとし、第五の抵抗素子Ｒ５に流れる電流をｉR5とし、第五の抵抗素子Ｒ５の抵抗値をＲ５とし、電流制限用抵抗素子Ｒａの抵抗値をＲａとし、第三のＰＮＰトランジスタＱ３のベース−エミッタ間のオン電圧設定値をＱ３ON(be)とすると、第三のＰＮＰトランジスタＱ３は、大凡以下の式１が成立するときにオン（導通）状態であり、過電流保護機能が働く。この式１の左辺Ｑ３ON(be)が基準値であり、右辺ｉR5×Ｒ５＋Ｉ×Ｒａが第三のＰＮＰトランジスタＱ３のベース−エミッタ間電圧である。
【００１８】
Ｑ３ON(be)  ≦  ｉR5×Ｒ５  ＋  Ｉ×Ｒａ                （式１）
以上のように、供給電流(多重分離回路２０８への出力電流量)Ｉとして過剰な電流が流れた場合には、供給電源レベルラインＶｃｃからの電流は、電流制限用抵抗素子Ｒａと第一の抵抗素子Ｒ１と第一のＰＮＰトランジスタＱ１のエミッタ−コレクタ間との電流経路には流れず、供給電源レベルラインＶｃｃから第三の抵抗素子Ｒ３と第二の抵抗素子Ｒ２とを流れる電流経路と、供給電源レベルラインＶｃｃから電流制限用抵抗素子Ｒａと第五の抵抗素子Ｒ５と第四の抵抗素子Ｒ４とを流れる電流経路と、に主に電流が流れることになり、第二の抵抗素子Ｒ２、第三の抵抗素子Ｒ３、第四の抵抗素子Ｒ４、第五の抵抗素子Ｒ５がいずれも例えば１０3~１０5オーダーの抵抗値(単位：Ω)というように第一の抵抗素子Ｒ１および電流制限用抵抗素子Ｒａに比べて極めて大きな抵抗値を有するように設計されてあり、カメラ付ドアホン子器装置１００への供給電流(多重分離回路２０８への出力電流量)Ｉが１０―1オーダーから１０―3オーダーの電流値(単位：Ａ)になるよう大きく抑制される設計になっている。
【００１９】
つまり、電流制限用抵抗素子Ｒａおよび第一の抵抗素子Ｒ１に過剰電流が流れない状態（正常動作状態）に比べれば、供給電流(多重分離回路２０８への出力電流量)Ｉとして過剰な電流が流れた場合では、カメラ付ドアホン子器装置１００への供給電流(多重分離回路２０８への出力電流量)Ｉが１０―1オーダーから１０―3オーダーの電流値(単位：Ａ)になるよう大きく抑制される設計になっている。
【００２０】
各抵抗値の具体的な設定は、カメラ付ドアホン子器装置１００に供給する給電電力や、音声信号や制御信号各成分に対する各インピーダンス値などにより異なるが、給電時の電力損失を少なく抑えるためには、第一の抵抗素子Ｒ１、電流制限用抵抗素子Ｒａのふたつに限っては、０．１（Ω）〜数（Ω）の範囲での設定が望ましい。
【００２１】
なお、特許文献１には、回路構成の詳細は開示されてはいないものの、交流インピーダンスアッパー回路と多重・分離回路との記載がされた集合住宅用インターホンシステムが開示されてある。
【特許文献１】特開２００２−２４７２１９公報
【発明の開示】
【発明が解決しようとする課題】
【００２２】
しかしながら、上述した従来の給電回路においては、ＰＮＰトランジスタ複数と抵抗素子複数という多くの部品点数を要しており、また、給電電力の無駄なロスを抑えたいという課題があった。本発明は、そのような問題点を解決しようとしたものであり、その目的とするところは、部品点数を少なくし、かつ正常給電時の給電ロスを抑制できる、過電流時給電停止機能付き給電回路を提供することにある。
【課題を解決するための手段】
【００２３】
上記問題点を解決するため、請求項１記載の給電回路にあっては、エミッタに第一の抵抗素子の一端を接続されコレクタが外部供給電流の出力端子とされた第一のＰＮＰトランジスタと、第一のＰＮＰトランジスタのベースにエミッタを接続され、コレクタを第一のＰＮＰトランジスタのコレクタに接続され、ベースが第二の抵抗素子を介してコレクタに接続されるとともに第三の抵抗素子の一端を介して外部接続する第二のＰＮＰトランジスタと、を備えるダーリントン接続回路の回路形態である交流インピーダンスアッパー回路と、
ベースが第四の抵抗素子を介して第一のＰＮＰトランジスタのコレクタに接続されるとともに第五の抵抗素子を介して第一の抵抗素子の他端に接続され、コレクタが第二のＰＮＰトランジスタのベースに接続され、エミッタが供給電源レベルラインに接続されるとともに第三の抵抗素子の他端と接続される第三のＰＮＰトランジスタと、第三のＰＮＰトランジスタのエミッタと供給電源レベルラインとの接続点と、第一の抵抗素子の他端との間に介在接続される電流制限用抵抗素子と、を備える過電流時給電停止回路と、
を備える給電回路において、
第一の抵抗素子を削除し、
第一の抵抗素子と電流制限用抵抗素子とを兼用する一部品素子である兼用抵抗素子を、電流制限用抵抗素子の代わりに置換し、兼用抵抗素子の第五の抵抗素子との接続点に、第一のＰＮＰトランジスタのエミッタを接続したことを特徴とする。
【００２４】
請求項２記載の給電回路にあっては、請求項１記載の給電回路において、第五の抵抗素子の値を可変とすることにより、外部供給電流の値を可変としたことを特徴とする。
【発明の効果】
【００２５】
第一の抵抗素子と電流制限用抵抗素子とを兼用する一部品素子である兼用抵抗素子を設けたので、正常給電時に電圧降下を生じる素子を、ひとつ減らせることになり、正常時の給電量のロスを抑制することが可能となる。
【００２６】
また、第五の抵抗素子の値を可変とすることにより、外部供給電流の値を可変としたので、兼用抵抗素子の抵抗値補正を、第五の抵抗素子の値を調整することで代行できる。このため、回路設計時に過剰電流の設定値の変更に柔軟に対処しやすい。
【発明を実施するための最良の形態】
【００２７】
本発明に係る給電回路の一実施の形態を、図１を用いて、以下に説明する。図１は給電回路を説明する回路図である。本発明に係る給電回路２０７は、背景技術の欄で説明した従来技術と比べて、第一の抵抗素子Ｒ１と電流制限用抵抗素子Ｒａとを兼用する一部品素子である兼用抵抗素子Ｒｂを設けた点と、第五の抵抗素子Ｒ５の値を可変とすることにより外部供給電流の値Ｉを可変とした点とが相違するだけであり、他については、必要なもののみ適宜説明する。
背景技術の図３で説明した交流インピーダンスアッパー回路Ａに比べ、図１の交流インピーダンスアッパー回路Ａには、図３の第一の抵抗素子Ｒ１がなく、第一のＰＮＰトランジスタＱ１のエミッタが第五の抵抗素子Ｒ５の第三のＰＮＰトランジスタＱ３のベースとは逆端に接続されている。図３の第一の抵抗素子Ｒ１の代わりに、図１の過電流時給電停止回路Ｂには、図３の電流制限用抵抗素子Ｒａの接続位置に、図３の第一の抵抗素子Ｒ１と図３の電流制限用抵抗素子Ｒａとの両方の機能を担う抵抗素子として、一部品素子である兼用抵抗素子Ｒｂを設けてある。つまり、兼用抵抗素子Ｒｂには、交流インピーダンスアッパー機能と電流制限機能とを兼任させてある。
兼用抵抗素子Ｒｂの抵抗値は、１０-1オーダーの抵抗値(単位：Ω)を有する。したがって、供給電源レベルラインＶｃｃからの直流電源電圧（例えば約１０（Ｖ））が、兼用抵抗素子Ｒｂと第一のＰＮＰトランジスタＱ１のエミッタ−コレクタ間とに印加された結果、電流のほとんどが、低抵抗ルートである兼用抵抗素子Ｒｂと第一のＰＮＰトランジスタＱ１のエミッタ−コレクタ間とを流れる電流経路に流れ、しかも兼用抵抗素子Ｒｂに過剰電流が流れない状態（正常動作状態）では、従来の図３の第一の抵抗素子Ｒ１や第一の抵抗素子Ｒ１での電圧降下の和に比べて、兼用抵抗素子Ｒｂでの電圧降下だけで済むので、供給電源レベルラインＶｃｃの電圧を従来よりも損なわずに多重分離回路２０８へ供給でき、カメラ付ドアホン子器装置１００への供給電圧の降下も抑制できる。
次に、例えばインターホン親機２００の給電端子の短絡やカメラ付ドアホン子器装置１００の故障などにより供給電流(多重分離回路２０８への出力電流量)Ｉとして過剰な電流が流れた場合には、第五の抵抗素子Ｒ５に流れる電流をｉR5とし、第五の抵抗素子Ｒ５の抵抗値をＲ５とし、兼用抵抗素子Ｒｂの抵抗値をＲｂとし、第三のＰＮＰトランジスタＱ３のベース−エミッタ間のオン電圧設定値をＱ３ON(be)とすると、第三のＰＮＰトランジスタＱ３は、背景技術の欄で説明した式１と同様に、大凡以下の式２が成立するときにオン（導通）状態であり、過電流保護機能が働く。この式２の左辺Ｑ３ON(be)が基準値であり、右辺ｉR5×Ｒ５＋Ｉ×Ｒａが第三のＰＮＰトランジスタＱ３のベース−エミッタ間電圧である。
【００２８】
Ｑ３ON(be)  ≦  ｉR5×Ｒ５  ＋  Ｉ×Ｒｂ                （式２）
以上のように、供給電流(多重分離回路２０８への出力電流量)Ｉとして過剰な電流が流れた場合には、供給電源レベルラインＶｃｃからの電流は、兼用抵抗素子Ｒｂと第一のＰＮＰトランジスタＱ１のエミッタ−コレクタ間との電流経路には流れず、供給電源レベルラインＶｃｃから第三の抵抗素子Ｒ３と第二の抵抗素子Ｒ２とを流れる電流経路と、供給電源レベルラインＶｃｃから兼用抵抗素子Ｒｂと第五の抵抗素子Ｒ５と第四の抵抗素子Ｒ４とを流れる電流経路と、に主に電流が流れることになり、第二の抵抗素子Ｒ２、第三の抵抗素子Ｒ３、第四の抵抗素子Ｒ４、第五の抵抗素子Ｒ５がいずれも例えば１０3~１０5オーダーの抵抗値(単位：Ω)というように兼用抵抗素子Ｒｂに比べて極めて大きな抵抗値を有するように設計されている。
【００２９】
つまり、兼用抵抗素子Ｒｂに過剰電流が流れない状態（正常動作状態）に比べれば、供給電流(多重分離回路２０８への出力電流量)Ｉとして過剰な電流が流れた場合では、カメラ付ドアホン子器装置１００への供給電流(多重分離回路２０８への出力電流量)Ｉが１０―1オーダーから１０―3オーダーの電流値(単位：Ａ)になるよう大きく抑制される設計になっている。
【００３０】
各抵抗値の具体的な設定は、カメラ付ドアホン子器装置１００に供給する給電電力や、音声信号や制御信号各成分に対する各インピーダンス値などにより異なるが、給電時の電力損失を少なく抑えるためには、兼用抵抗素子Ｒｂは、０．１（Ω）〜数（Ω）の範囲での設定が望ましい。
ここで、兼用抵抗素子Ｒｂのみで従来と同等の機能を実現させる必要があるため、給電回路２０７の設計に自由度が不足することが懸念される。しかし、式２に示したように、第五の抵抗素子Ｒ５の抵抗値Ｒ５によって、制限する電流値は調整することが出来るため、実用上問題は生じない。またさらに、多重分離回路２０８による信号成分のインピーダンスの調整なども実質上可能である。
【００３１】
以上、本発明によれば、交流インピーダンスアッパー回路Ａと過電流時給電停止回路Ｂとに必要な２つの抵抗を一部品に共通化することにより、部品点数の削減による回路の合理化、および給電回路２０７で発生する電圧ロスを減少する。つまり、接続する通信機器用の電圧降下が少なく、低損失電圧、低損失電力なる、過電流時給電停止機能付き電流制限機能付給電回路２０７を提供できる。
なお、インターホン親機とカメラ付ドアホン子器装置との組み合わせを例に説明したが、本発明はこれに限らず、直流電力に信号を重畳して外部接続機器に供給する、システム内の主制御装置であるならば、本発明の給電回路を採用してかまわない。
【図面の簡単な説明】
【００３２】
【図１】本願発明に係る給電回路の回路構成の説明図である。
【図２】従来のインターホン親機の内部をあらわすブロック図である。
【図３】従来の給電回路の回路構成の説明図である。
【符号の説明】
【００３３】
Ａ    交流インピーダンスアッパー回路
Ｂ    過電流時給電停止回路
Ｑ１  第一のＰＮＰトランジスタ
Ｑ２  第二のＰＮＰトランジスタ
Ｑ３  第三のＰＮＰトランジスタ
Ｒ１  第一の抵抗素子
Ｒ２  第二の抵抗素子
Ｒ３  第三の抵抗素子
Ｒ４  第四の抵抗素子
Ｒ５  第五の抵抗素子
Ｒａ  電流制限用抵抗素子
Ｒｂ  兼用抵抗素子
Ｖｃｃ  供給電源レベルライン
【図１】
2005311635.tif 000003
【図２】
2005311635.tif 000004
【図３】
2005311635.tif 000005